(57)【特許請求の範囲】
【請求項１】
所定間隔をおいて設置された建地と当該建地間に設置された布板とを備えた仮設足場に取り付けられる仮設足場用幅木であって、前記布板の縁端部に当該布板に沿って取り付けられる幅木本体と当該幅木本体の端部に取り付けられ、前記建地に突設された受け金具に緊結される挟持金具とから構成され、前記挟持金具は前記受け金具の上端部と係合する係合部を備えた端部金具と、当該端部金具の下側に前記係合部と対峙して取り付けられた係止金具と、前記幅木本体の端部に取り付けられ、前記係止金具を前記係合部側に引き寄せる引き寄せ部材とから構成されてなることを特徴とする仮設足場用幅木。
【請求項２】
所定間隔をおいて設置された建枠と当該建枠の横地間に設置された布板とを備えた仮設足場に取り付けられる仮設足場用幅木であって、前記布板の縁端部に当該布板に沿って取り付けられる幅木本体と当該幅木本体の端部に取り付けられ、前記建枠の横地に緊結される挟持金具とから構成され、前記挟持金具は前記横地の上側と係合する係合部を備えた端部金具と当該端部金具の下側に前記係合部と対峙して取り付けられた係止金具と、前記幅木本体の端部に取り付けられ、前記係止金具を前記係合部側に引き寄せる引き寄せ部材とから構成されてなることを特徴とする仮設足場用幅木。
【請求項３】
係止金具は、幅木本体の長手方向に一定量スライド自在に取り付けられてなることを特徴とする請求項１または２記載の仮設足場用幅木。
【請求項４】
係止金具にハンドルが取り付けられてなることを特徴とする請求項１〜３のいずれかに記載の仮設足場用幅木。
【発明の詳細な説明】
【技術分野】
【０００１】
本発明は、仮設足場の布板の縁端部に当該布板に沿って取り付けられる仮設足場用幅木に関し、作業員の転落事故や、工具、建設資材の落下事故を未然に防止するために用いられる。
【背景技術】
【０００２】
建設現場や土木現場などでは、歩行用や作業用の足場として、さらにはコンクリート型枠を支える支保工としてクサビ緊結式足場や枠組足場が広く用いられている。
【０００３】
ここで、クサビ緊結式足場は、規格化された建地と布材(水平つなぎ材)と腕木を複数、互いに連結してジャングルジム状に組み上げた後、隣接する各腕木間に布板を架け渡して構成され、特に各部材どうしがクサビによって脱着自在に連結されている。
【０００４】
一方、枠組足場は、一定の門型枠状に形成されたユニットを複数、上下を差し込む等して組み上げた後、隣接する各建枠の横地間に布板を架け渡して構成されている。
【０００５】
ところで、最近では、建設・土木工事における作業員の安全意識の高揚により、仮設足場についても布板の周囲に幅木を取り付けて、作業員の転落事故や布板の上に置かれた工具や建設資材の落下事故を未然に防止するよう図られている。特に上記した枠組足場用の幅木については、各メーカー間で枠組足場の構造や寸法などに基本的な差異がないため、各メーカー共通に使用可能な汎用幅木が種々開発されている。
【特許文献１】特開平８−１５１７８６号公報
【特許文献２】特開２００３−１６６３４２号公報
【特許文献３】特開２００４−６０１６７号公報
【特許文献４】特開２００５−１８８０２３号公報
【発明の開示】
【発明が解決しようとする課題】
【０００６】
しかし、クサビ緊結式足場の幅木については、各メーカー間で寸法、構造等ともに異なるため、各メーカー共通に使用可能な仮設足場用幅木は特に開発されていない。このため、布板の両側に長尺足場板を幅木代わりに取り付けて、作業員の転落事故や工具などの落下事故に対処している。
【０００７】
しかし、設置した長尺足場板を建地などに固定するための金具として、例えば、特許文献１に記載するような金具を用いたのでは、長尺足場板の厚さ、幅、さらには長さ等に不揃いがあると、ガタツキが生じて取り付けが非常に困難な場合があり、特に長尺足場板が２枚重なる部分ではまったく対処できない。
【０００８】
また、この種の幅木は高所でしかも作業足場内というきわめて狭いスペースでの取り付けおよび取り外しを強いられるため、軽量でしかも簡単に取り付けおよび取り外しができる構造のものが要望されている。
【０００９】
本発明は、以上の課題を解決するためになされたもので、取り付けおよび取り外し等の取り扱いが簡単で、かつ確実・強固に取り付けることのできる仮設足場用幅木を提供することを目的とする。
【課題を解決するための手段】
【００１０】
請求項１記載の仮設足場用幅木は、所定間隔をおいて設置された建地と当該建地間に設置された布板とを備えた仮設足場に取り付けられる仮設足場用幅木であって、前記布板の縁端部に当該布板に沿って取り付けられる幅木本体と当該幅木本体の端部に取り付けられ、前記建地に突設された受け金具に緊結される挟持金具とから構成され、前記挟持金具は前記受け金具の上端部と係合する係合部を備えた端部金具と、当該端部金具の下側に前記係合部と対峙して取り付けられた係止金具と、前記幅木本体の端部に取り付けられ、前記係止金具を前記係合部側に引き寄せる引き寄せ部材とから構成されてなることを特徴とするものである。
【００１１】
本発明は特に、規格化された建地と布材と腕木を複数、クサビ緊結方式によって互いに連結することによりジャングルジム状に組み上げた後、隣接する各腕木間に布板を架け渡して構成されるクサビ緊結式足場に用いられるものである。
【００１２】
クサビ緊結式足場は特に、クサビを用いて建地と布材および腕木を簡単に組み立ておよび解体ができるように、建地にクサビ挿入孔を備えた受け金具が突設されているため、この受け金具を利用して仮設足場用幅木を簡単に取り付けおよび取り外しを行うことができる。
【００１３】
この場合の受け金具は各メーカーにより形状などが異なるが、挟持金具は端部金具と係止金具とによって受け金具を上下から強く挟み込む方式なので、挟持金具に多少の設計変更を加えることにより、いずれの受け金具にも対応することができる。
【００１４】
請求項２記載の仮設足場用幅木は、所定間隔をおいて設置された建枠と当該建枠の横地間に設置された布板とを備えた仮設足場に取り付けられる仮設足場用幅木であって、前記布板の縁端部に当該布板に沿って取り付けられる幅木本体と当該幅木本体の端部に取り付けられ、前記建枠の横地に緊結される挟持金具とから構成され、前記挟持金具は前記横地の上側と係合する係合部を備えた端部金具と当該端部金具の下側に前記係合部と対峙して取り付けられた係止金具と前記幅木本体の端部に取り付けられ、前記係止金具を前記係合部側に引き寄せる引き寄せ部材とから構成されてなることを特徴とするものである。
【００１５】
本発明は特に、一定の門型枠状に形成された建枠を複数、上下を差し込む等して組み上げた後、隣接する各建枠の横地間に布板を架け渡して構成される枠組足場(図７参照)に用いられる。
【００１６】
なお、いずれの発明においても、係止金具は、幅木本体より大きく突出しないように可能な限りコンパクトに形成することができ、これにより運搬や保管などに際し、嵩張らず取り扱いが容易なものとすることができる。
【００１７】
また、係止金具を係合部側に引き寄せる引き寄せ部材としては、例えばボルトまたはナットを締め付けることにより係止金具を係合部側に引き寄せるようにしたねじ式、あるいはクサビ孔にクサビを挿入することにより係止金具を係合部側に引き寄せるようにしたクサビ式などを利用することができる。
【００１８】
請求項３記載の仮設足場用幅木は、請求項１または２記載の仮設足場用幅木において、係止金具は、幅木本体の長手方向に一定量スライド自在に取り付けられてなることを特徴とするものである。
【００１９】
本発明は特に、幅木本体の長手方向に係止金具を一定量スライド自在に取り付けたことで、受け金具と挟持金具との嵌め合わせおよび離脱を簡単にかつ確実に行うことができるようにしたものである。
【００２０】
請求項４記載の仮設足場用幅木は、請求項１〜３のいずれかに記載の仮設足場用幅木において、係止金具にハンドルが取り付けられてなることを特徴とするものである。
【００２１】
本発明は特に、幅木を仮設足場に取り付けおよび取り外す際、ハンドルをつまんで係止金具を簡単にスライドさせることができることができ、またハンドルの位置を目視するだけで係止金具と受け金具との位置関係を確認することができることで、幅木の端部を建地に確実に固定等できるようにしたものである。
【発明の効果】
【００２２】
本発明に係る仮設足場用幅木は、取り付けと取り外しが簡単にでき、また挟持金具は端部金具と係止金具とによって受け金具または建枠の横地を上下から強く挟み込む方式なので、確実かつ強固に取り付けることができる。
【００２３】
また、挟持金具に多少の設計変更を加えることにより、いずれの受け金具にも対応することができる。
【発明を実施するための最良の形態】
【００２４】
図１〜図６は、建物Ａの外部に仮設されたクサビ緊結式仮設足場の一例を示し、図において、複数の建地１，２が二列に、それぞれ建物Ａに沿って所定間隔おきに建て付けられ、建物Ａに沿って隣接する各建地１，１間および各建地２，２間に複数の布材３がそれぞれ建地１，２の上下方向に所定間隔おきに架け渡されている。
【００２５】
また、建物Ａより外寄りの建地(後踏み)１と建物Ａ寄りの建地(前踏み)２間には、複数の腕木４がそれぞれ布材３と同じ高さで架け渡され、隣接する各腕木４，４間に布板５がそれぞれ架け渡されている。さらに、建物Ａより外寄りの各建地１，１間には、布材３の上側に位置して仮設足場用幅木６がそれぞれ架け渡されている。
【００２６】
建地１，２、布材３および腕木４はいずれも鋼管から形成され、各建地１，２の布材３および腕木４との連結部に受け金具７がそれぞれ突設され、布材３および腕木４の両端部には受け金具７に連結される連結金具８がそれぞれ突設されている。
【００２７】
受け金具７は本来、布材３および腕木４を建地１，２にクサビによって連結するための金具であり、当該受け金具７には布材３側および腕木４側の方向を含む直角四方向にそれぞれ突出する複数の連結部７ａが形成され、当該連結部７ａには上下方向に貫通するクサビ挿入孔７ｂがそれぞれ形成されている。
【００２８】
一方、連結金具８は受け金具７の連結部７ａを上下から把持するように、連結部７ａの上下両側に水平に突出するフランジ８ａ，８ａがそれぞれ突設され、当該フランジ８ａ，８ａに受け金具７のクサビ挿入孔７ｂに対応してクサビ孔８ｂ，８ｂがそれぞれ形成されている。そして、連結金具８のクサビ孔８ｂ，８ｂと受け金具７のクサビ挿入孔７ｂにクサビ９を連続して挿入することにより、各布材３と腕木４の各端部が建地１，２にそれぞれ脱着自在に連結されている。
【００２９】
各布板５の両端部にはフック５ａ，５ａが突設され、当該フック５ａ，５ａを腕木４に掛止することにより、各布板５の両端部は腕木４，４に脱着自在に連結されている。
【００３０】
各仮設足場用幅木６は、幅木本体６Ａと当該幅木本体６Ａの両端部に取り付けられた挟持金具１０とから構成され、挟持金具１０は受け金具７の、特に腕木４の反対側に突設された連結部７ｃを上下から挟み込むように構成されている。
【００３１】
挟持金具１０について詳述すると、挟持金具１０は、幅木本体６Ａの端部に取り付けられ、下端部に連結部７ｃの上端部と係合する係合部１１ａを備えた端部金具１１と、当該端部金具１１の下側に取り付けられ、端部金具１１の係合部１１ａとによって受け金具７の連結部７ｃを上下から強く挟み込むように形成された係止金具１２と、幅木本体６Ａの端部に鉛直に取り付けられ、係止金具１２を係合部１１ａ(連結部７ａ)側に強く引き寄せる締付けボルト１３とから構成されている。
【００３２】
係合部１１ａは、端部金具１１の下端部を切り欠く等して形成され、当該係合部１１ａには連結部７ａのクサビ挿入孔７ｂと嵌合する掛止片１１ｂが真下方向に突設されている。
【００３３】
係止金具１２には幅木本体６Ａの長手方向に所定長連続する略矩形状の扁平孔１２ａが形成され、当該扁平孔１２ａ内に板ナット１４が幅木本体６Ａの長手方向に一定量スライド自在に内蔵されている。
【００３４】
締付けボルト１３は幅木本体６Ａの端部に、当該端部をその上から下方に鉛直に貫通して取り付けられ、その先端の雄ねじ部１３ａは、係止金具１２のルーズ孔１２ｂを貫通し、板ナット１４に螺合されている。
【００３５】
なお、ルーズ孔１２ｂは幅木本体６Ａの長手方向に長軸を有する長孔になっており、したがって、係止金具１２は幅木本体６Ａの長手方向にある程度自由にスライドするようになっている。
【００３６】
また、係止金具１２は真上に突出したハンドル１２ｃが取り付けられ、このハンドル１２ｃをつまんで係止金具１２を幅木本体６Ａの長手方向に自由にスライドさせることができる。
【００３７】
このような構成において、締付けボルト１３を強く締め付けると、係止金具１２の先端側が幅木本体６Ａの下端に当接したピン１２ｄを回転軸に上側に回転することにより、受け金具７の連結部７ｃを端部金具１１の係合部１１ａと係止金具１２とによって強く挟み込むことができ、これにより幅木本体６Ａの両端部が建地１，１に強固にしかも脱着自在に連結される。
【００３８】
この場合特に、締付けボルト１３を締め付けると、係止金具１２の一端側(ハンドル１２ｃの下端部)に水平に取り付けられたピン１２ｄが幅本体６Ａの下端部に当接し、係止金具１２の回転軸(てこ支点)となるため、端部金具１１の係合部１１ａと係止金具１２によって受け金具７の連結部７ｃを係止金具１２のてこ作用によって上下から非常に強力に挟み込むことができる。
【００３９】
また、係合部１１ａに形成された掛止片１１ｂが連結部７ａのクサビ挿入孔７ｂに挿入されることで、幅木本体６Ａの端部が建地１から離脱することはない。
【００４０】
なお、図４(ｃ)は、係止金具１２を係合部１１ａ(連結部７ａ)側に強く引き寄せる他の方法を示し、上記した締付けボルト１３の代わりに締付けロッド２２が幅本体６ａの端部に上下方向に移動自在に取り付けられている。
【００４１】
当該締付けロッド２２の下端部は係止金具１２に連結され、上端部は幅木本体６ａの上端部に所定長突出し、当該突出部分にはクサビ孔２２ａが水平に形成されている。そして、クサビ孔２２ａにクサビ２３を挿入することにより係止金具１２を係合部１１ａ(連結部７ａ)側に強く引き寄せることができる。
【００４２】
図７〜図９は、枠組足場に用いられる仮設足場用幅木の一例を示し、図において、幅木本体６Ａの一端側の端部に挟持金具１５、他端側の端部に端部金具１６がそれぞれ取り付けられている。
【００４３】
挟持金具１５は、幅木本体６Ａの端部に取り付けられ、枠組足場１７に用いられる建枠２３の横地１７ａと嵌合する係合部１８ａを備えた端部金具１８と、当該端部金具１８の下側に取り付けられ、当該端部金具１８の係合部１８ａとによって横地１７ａを上下から強く挟み込むように形成された係止金具１９と、幅木本体６Ａの端部に鉛直に取り付けられ、係止金具１９を係合部１８ａ(横地１７ａ)側に強く引き寄せる締付けボルト２０とから構成されている。
【００４４】
なお、端部金具１８の係合部１８ａおよび係止金具１９の横地１７ａとの当接部は横地１７ａの外周に沿って凹曲状に形成されている。また、係止金具１９にはハンドル１９ａが形成されている。
【００４５】
締付けボルト２０は幅木本体６Ａの端部に、当該端部をその上から下方に鉛直に貫通して取り付けられ、その先端の雄ねじ部２０ａは、係止金具１９の長孔１９ｂを貫通し、係止金具１９の裏側に添え付けられた板ナット２１に螺合されている。そして、締付けボルト２０を強く締め付けると、係止金具１９の先端側が幅木本体６Ａの下端に当接したピン１９ｃを回転軸に上側に回転することにより、枠組足場１７に用いられる建枠２３の横地１７ａを端部金具１８の係合部１８ａと係止金具１９とによって強く挟み込むことができるようになっている。
【００４６】
一方、端部金具１６は、平面上幅木本体６Ａの先端方向に開口する略Ｕ字形をなす溝状に形成され、当該端部金具１６の下端部に下斜め方向に開口し、布枠１７ｂに嵌合可能な係合部１６ａが形成されている。
【００４７】
このような構成において、端部金具１６の係合部１６ａを一端側の横地１７ｂに嵌合し、挟持金具１５の端部金具１８と係止金具１９によって他端側の横地１７ａを強く挟み込むことにより、幅木６を枠組足場の布板の縁端部に当該布板に沿って取り付けることができる。
【００４８】
また特に、端部金具１６が、平面上幅木本体６Ａの先端方向に開口する略Ｕ字形をなす溝状に形成されていることで、複数の幅木６，６がその長手方向に連続して取り付けられる場合でも、例えば図９(ａ)，(ｂ)に図示するように、隣接する一方の幅木６の挟持金具１５を隣接する他方の幅木６の端部金具１６内において横地１７ｂに緊結することにより、複数の幅木６をその長手方向に段差等を生ずることなく連続して取り付けることができる。
【産業上の利用可能性】
【００４９】
本発明は、クサビ緊結式仮設足場や枠組足場などの仮設足場の布板の縁端部に当該布板に沿って簡単に取り付けることができ、また取り外しも簡単に行うことができ、実用性が大である。
【図面の簡単な説明】
【００５０】
【図１】仮設足場用幅木を取り付けたクサビ緊結式仮設足場を示し、(ａ)はその一部正面図、(ｂ)はその側面図である。
【図２】仮設足場用幅木を取り付けたクサビ緊結式仮設足場を示し、(ａ)は足場の外側から見た一部斜視図、(ｂ)は足場の内側から見た一部斜視図である。
【図３】幅木の取り付け部を示し、(ａ)、(ｂ)はその一部斜視図である。
【図４】仮設足場用幅木の一例を示し、(ａ)はその斜視図、(ｂ)はその一部を省略した正面図である。
【図５】建地の一部斜視図である。
【図６】係止金具の斜視図である。
【図７】枠組足場の一部斜視図である。
【図８】枠組足場に用いられる仮設足場用幅木の端部を示し、(ａ)は端部が横地に固定された状態を示す正面図、(ｂ)は端部の横地との固定が解除された状態を示す正面図である。
【図９】隣接する幅木どうしの連結部を示し、 (ａ)は平面図、(ｂ)は正面図である。
【符号の説明】
【００５１】
１  建地
２  建地
３  布材(水平材)
４  腕木
５  布板
６  仮設足場用幅木
７  受け金具
８  連結金具
９  クサビ
１０  挟持金具
１１  端部金具
１２  係止金具
１３  締付けボルト(引き寄せ部材)
１４  板ナット
１５  挟持金具
１６  端部金具
１７  枠組足場
１８  端部金具
１９  係止金具
２０  締付けボルト(引き寄せ部材)
２１  板ナット
２２  引き寄せロッド(引き寄せ部材)
【図１】
0004732098.tif 000002
【図２】
0004732098.tif 000003
【図３】
0004732098.tif 000004
【図４】
0004732098.tif 000005
【図５】
0004732098.tif 000006
【図６】
0004732098.tif 000007
【図７】
0004732098.tif 000008
【図８】
0004732098.tif 000009
【図９】
0004732098.tif 000010